(57)【特許請求の範囲】
【請求項１】
中棒と、中棒先端の上ロクロ部にヒンジ機構を介して基端が取付けられる複数本の親骨と、中棒の下ロクロ部と親骨とにヒンジ機構を介して両端がそれぞれ取付けられる受骨を備えた雨傘において、
中棒が上下に分割されて、第１中棒と、下ロクロ部材と、第２中棒から構成され、
第１中棒は下ロクロ部材の中心に上下スライド自在に装着され、下ロクロ部材から突出する第１中棒の上部には上ロクロ部のヒンジ機構により親骨の基端が取付けられ、下ロクロ部材の上部には受骨の下端がヒンジ機構により取付けられ、
第２中棒は、下ロクロ部材の第１中棒の周囲部外側かつ受骨の内側となる位置を貫通できるように上下スライド自在に装着され、先端が親骨を上方に向かって逆さに閉じるように転回させた後、逆さに閉じた親骨に沿って位置するように構成されていることを特徴とする雨傘。
【請求項２】
請求項１に記載の雨傘において、下ロクロ部材には、第２中棒の上下スライドに連動して第１中棒を上下スライドさせる連動機構が設けられ、 
下ロクロ部材に対して、 
第２中棒が下方にスライドすると、第１中棒が上方にスライドして、傘が開き、 
第２中棒が下ロクロ部材に対して上方にスライドすると、第１中棒が下方にスライドして、 
傘が逆さに閉じるように構成されていることを特徴とする雨傘。 
【請求項３】
請求項１または請求項２のいずれかに記載の雨傘において、傘を閉じた時に上ロクロ部が下ロクロ部材上部の凹部内に収納されるように構成されていることを特徴とする雨傘。
【請求項４】
請求項１乃至請求項３のいずれかに記載の雨傘において、傘を閉じた時に下ロクロ部材の下部が第２中棒下部の手元部材内に収納されるように構成されていることを特徴とする雨傘。
【発明の詳細な説明】
【技術分野】
【０００１】
本発明は、傘を閉じた時に、傘表面の水滴が周囲に及ぼす影響を大幅に削減することができる雨傘に関するものである。
【背景技術】
【０００２】
図７は、一般的な雨傘の構造を示したものであり、主として、中棒１と、親骨２と、受骨３から構成されている。中棒(シャフト)１の先端には上ロクロ４が設けられ、ここに放射状に伸びる複数本の親骨２が取付けられる。親骨２は通常長傘で８本であり（10本や16本というものもある）、この親骨２の上に生地が張られる。上ロクロ４は複数本の親骨２を取りまとめる部材であり、親骨２の基端がリングと孔等によるヒンジ機構により上下方向に回転自在に取付けられる。
【０００３】
受骨３は、各親骨２を支える部材であり、その上端が親骨２の中間位置にピンによるヒンジ機構により取付けられ、その下端が下ロクロ５に上ロクロ４と同様のヒンジ機構により取付けられる。下ロクロ５は、中棒１に沿って上下スライドするスライダー(あるいはランナー)であり、上方に移動させることにより傘が開き、板ばねからなる上はじき(ストッパー)６に係止させることにより開状態が保持される。下方に移動させることにより、傘が閉じ、上はじき６と同様の下はじき７により閉状態が保持される。
【０００４】
中棒１の先端には石突８が設けられ、傘を閉じて持ち歩くときに地面を突く形になる。中棒１の下端には手元９が設けられ、その上には傘が突然開かないようにする安全装置としての玉留め１０が設けられている。なお、親骨２の先端には生地を張るときに留める露先が設けられている。
【０００５】
このような一般的な雨傘の場合、雨天時に傘を使用した後、傘を閉じて、電車やバスなどの混雑した公共交通機関に乗り込むと、傘の表面についた水滴が乗客同士の衣服を濡らす問題があった。
【０００６】
このような問題を解消する先行技術として、傘の表面に付着した水滴を残らず除去する雨傘の水滴除去装置(例えば、特許文献１〜３参照)、あるいは傘を覆う保護カバーや傘収納具(例えば、特許文献４〜６参照)などがある。
【０００７】
【特許文献１】特開２００５−１２７５８１号公報
【特許文献２】特開２００４−１７００２９号公報
【特許文献３】特開２００４−１６２９４０号公報
【特許文献４】特開２００３−１０２５２７号公報
【特許文献５】特開２００２−１１２８１８号公報
【特許文献６】特開２００１−３１４２１５号公報
【発明の開示】
【発明が解決しようとする課題】
【０００８】
従来の水滴除去装置は、建物などの入口に設置して使用するものであり、また水滴を除去するのにもある程度の時間がかかり、電車やバスなどの公共交通機関には適用が困難である。また、保護カバー等は、傘に特別なカバーを取付けておき、あるいは、傘とは別に携帯しておくことが必要であり、また装着するのが面倒であるなどの課題がある。
【０００９】
本発明は、上記のような課題を解消すべくなされたものであり、特別な装置や部材を用いることなく、傘自体の構造で、傘表面の水滴が周囲に及ぼす影響を無くすことができる雨傘を提供することにある。
【課題を解決するための手段】
【００１０】
本発明の請求項１は、中棒と、中棒先端の上ロクロ部にヒンジ機構を介して基端が取付けられる複数本の親骨と、中棒の下ロクロ部と親骨とにヒンジ機構を介して両端がそれぞれ取付けられる受骨を備えた雨傘において、中棒が上下に分割されて、第１中棒と、下ロクロ部材と、第２中棒から構成され、第１中棒は下ロクロ部材の中心に上下スライド自在に装着され、下ロクロ部材から突出する第１中棒の上部には上ロクロ部のヒンジ機構により親骨の基端が取付けられ、下ロクロ部材の上部には受骨の下端がヒンジ機構により取付けられ、第２中棒は、下ロクロ部材の第１中棒の周囲部外側かつ受骨の内側となる位置を貫通できるように上下スライド自在に装着され、先端が親骨を上方に向かって逆さに閉じるように転回させた後、逆さに閉じた親骨に沿って位置するように構成されていることを特徴とする雨傘である。
【００１１】
第２中棒は、例えば図１に示すように、複数本のスライドバーから構成し、親骨の位置に対応させて第１中棒の周囲に位置できるように配置し、上方へのスライドにより各スライドバーが受骨の内側を通って各親骨を押し上げ、各親骨に沿って位置するようにするのが好ましい。
【００１２】
請求項１によれば、図１に示すように、第２中棒を下ロクロ部材に対して上方にスライドさせると、第１中棒が下方に引き込まれることにより、親骨が上方に向かって逆さに閉じるように転回し始め、逆さに閉じ始めた親骨に沿って第２中棒が上方にスライドすることにより、親骨がさらに転回し、第２中棒で包囲された状態で平行に閉じる。これにより、親骨の上面に張られた生地が、その表面が内側となる裏返し状態で収納され、生地表面の水滴の及ぼす影響を大幅に削減することができる。
【００１３】
本発明の請求項２は、請求項１に記載の雨傘において、下ロクロ部材には、第２中棒の上下スライドに連動して第１中棒を上下スライドさせる連動機構が設けられ、第２中棒が下方にスライドすると、第１中棒が上方にスライドして、傘が開き、第２中棒が上方にスライドすると、第１中棒が下方にスライドして、傘が逆さに閉じるように構成されていることを特徴とする雨傘である。
【００１４】
下ロクロ部材は、例えば図２に示すように、軸部材とスライダーとから構成し、軸部材の中心のスライド孔に第１中棒を挿入し、軸部材に沿ってスライダーが上下スライドするように取付け、小径のリールとワイヤ等による連動機構により第１中棒を上下にスライドさせる。第２中棒が下降すると、第２中棒によりスライダーが下降し、連動機構により第１中棒が上昇し、第２中棒が上昇すると、スライダーに内蔵したスプリングによりスライダーが上昇し、連動機構により第１中棒が下降するように構成されている。
【００１５】
請求項２によれば、第２中棒の上下スライドに連動して第１中棒を上下スライドさせる連動機構を設けることにより、スムーズに傘を逆さに閉じ、傘を開くことができ、さらに軸部材とスライダーにより傘の閉状態及び開状態を保持することができる。
【００１６】
本発明の請求項３は、請求項１または請求項２のいずれかに記載の雨傘において、傘を閉じた時に上ロクロ部が下ロクロ部材上部の凹部内に収納されるように構成されていることを特徴とする雨傘である。
【００１７】
請求項３によれば、例えば図６に示すように、第１中棒を下方に引き込み、傘を逆さに閉じた時に上ロクロ部が下ロクロ部材の凹部内に収納されることで、閉じた親骨を固定することができる。
【００１８】
本発明の請求項４は、請求項１乃至請求項３のいずれかに記載の雨傘において、傘を閉じた時に下ロクロ部材の下部が第２中棒下部の手元部材内に収納されるように構成されていることを特徴とする雨傘である。
【００１９】
請求項４によれば、例えば図４〜図６に示すように、下ロクロ部材の筒体の下部を薄肉部とし、この薄肉部に手元部材を嵌め込むことで、傘を閉じた時に、傘の長さを短くし、コンパクト化を図ることができる。
【発明の効果】
【００２０】
請求項１によれば、下部の第２中棒を上部の第１中棒に対してスライドさせることにより、親骨を逆さに閉じるように転回させて親骨上面の生地を裏返し状態で棒状に収納することができ、水滴の付いた傘表面が露出しないため、電車やバス等の混雑した公共交通機関において乗客同士の衣服を濡らすなど水滴の及ぼす影響を大幅に削減することができる。しかも、特別な水滴除去装置や保護カバー等を用いることなく、傘自体の構造で、傘表面の水滴が周囲に及ぼす影響を無くすことができ、水滴除去装置を設置する場合と比較してコストの低減を図れると共に、保護カバー等が不要であり、傘を閉じるだけでよいため、利便性に優れている。
【００２１】
請求項２によれば、第２中棒の上下スライドに連動して第１中棒を上下スライドさせる連動機構を設けているため、スムーズに傘を逆さに閉じ、傘を開くことができ、さらに軸部材とスライダーにより傘の閉状態及び開状態を保持することができる。
【００２２】
請求項３によれば、傘を逆さに閉じた時に上ロクロ部が下ロクロ部材の凹部内に収納されるため、閉じた親骨を固定することができる。
【００２３】
請求項４によれば、下ロクロ部材の筒体下部の薄肉部に手元部材を嵌め込むため、傘を閉じた時に、傘の長さを短くし、コンパクト化を図ることができる。
【発明を実施するための最良の形態】
【００２４】
以下、図面を用いて本発明を実施するための最良の形態を説明する。図１は本発明の雨傘の基本構成とその動作を示したものである。図２はその詳細構造を示したものである。なお、本明細書では、傘を開いて差した状態で上下方向としている。
【００２５】
図１に示すように、本発明は、中棒１と親骨２と受骨３とから構成される雨傘において、中棒１を上下に分割して、上から順に、第１中棒１１と、下ロクロ部材１２と、第２中棒１３から構成し、第２中棒１３を下ロクロ部材１２に対して上方にスライドさせると、第１中棒１１が下方に引き込まれることにより、親骨２が上方に向かって逆さに閉じるように転回し始め、逆さに閉じ始めた親骨２に沿って第２中棒１３が上方にスライドすることにより、親骨２がさらに転回し、第２中棒１３で包囲された状態で平行に閉じるように構成したものである。これにより、親骨２の上面に張られた生地Ａが、その表面が内側となる裏返し状態で収納され、水滴の付いた傘表面が露出しない構造のため、生地表面の水滴の及ぼす影響を大幅に削減することができる。
【００２６】
第１中棒１１は下ロクロ部材１２の中心に上下スライド自在に装着され、下ロクロ部材１２から突出する第１中棒１１の上部には上ロクロ部２１のヒンジ機構２２により親骨２の基端が取付けられ、下ロクロ部材１２の上部には受骨３の下端がヒンジ機構３１により取付けられている。受骨３の上端は親骨２にヒンジ機構３２により取付けられる。第１中棒１１を下ロクロ部材１２に対して上方にスライドさせることにより、傘が開き、下方にスライドさせることにより、傘が逆に閉じるように構成されている。
【００２７】
第２中棒１３は親骨２の数と同じ数のスライドバー１３ａから構成され、各スライドバー１３ａが親骨２の位置に対応して第１中棒１１の周囲に位置できるように配置され、下ロクロ部材１２に上下スライド自在に装着されている。また、受骨３は下ロクロ部材１２の上部外周に取付けられ、スライドバー１３ａが受骨３の内側を通って上下スライドできるようにされている。この第２中棒１３の下部には手元部材４１が設けられている。上方にスライドさせると、各スライドバー１３ａの先端が各親骨２を押し上げ、各スライドバー１３ａが各親骨２に沿って配置される。
【００２８】
図２に示すように、上ロクロ部２１は第１中棒１１に固定され、この上ロクロ部２１にリングと孔によるヒンジ機構２２により親骨２が取付けられる。このヒンジ機構２２は内側に配置され、スライドバー１３ａの先端が親骨２を押し上げることができるようにされている。また、各親骨２の下面には袋状の筒体２３が設けられ、上昇してくるスライドバー１３ａを収納できるようにされている。そして、傘を閉じたとき、親骨は互いに組み合わさるようになっており、安定した状態を維持できる形状となっている。
【００２９】
下ロクロ部材１２は、図２、図３に示すように、軸部材５１とスライダー５２とから構成されている。軸部材５１は、上部筒体５３と、上下に板部５４ａ・５４ｂを有する下部軸部５４から一体的に形成されている。軸部５４には、第１中棒１１が挿入されるスライド孔５５が形成されている。上部筒体５３には上ロクロ部２１を収容する凹部が形成されている。この上部筒体５３の外壁上部にピンによるヒンジ機構３１が設けられる。板部５４ａは上部筒体５３の内部に一体的に設けられており、その外周部と上部筒体５３の内面とにスライドバー１３ａが貫通する貫通孔５６が形成されている。板部５４ｂにも貫通孔５７が設けられている。
【００３０】
スライダー５２には軸部５４が貫通するスライド孔５８が形成され、フランジ５９と外周部にはスライドバー１３ａが貫通するスライド孔６０が形成されている。また、スライダー５２には下降したスライダー５２を上昇復帰させるスプリング６１が設けられている。
【００３１】
従って、各スライドバー１３ａは軸部材５１とスライダー５２の外周部を貫通して上下にスライドできる。また、スライダー５２は軸部５４に沿って上下にスライドできる。
【００３２】
また、下ロクロ部材１２には、第２中棒１３の上下スライドに連動して第１中棒１１を上下スライドさせる連動機構が設けられている。この連動機構は、図２に示すように、小径のリール６２とワイヤ６３から構成され、一端を第１中棒１１に固定したワイヤ６３を板部５４ａ、５４ｂのリール６２に順に巻き掛けた後、他端を第１中棒１１に固定して構成される。ワイヤ６３はスライダー５２に固定されており、スライダー５２の上下移動に連動して第１中棒１１が上下移動する。
【００３３】
スライドバー１３ａを下方へスライドさせることで、スライドバー先端のフックによりスライダー５２が下降し、傘が開き、下限位置のスライダー５２により開状態が保持される。スライドバー１３ａを上方へスライドさせることで、スライダー５２がスプリングにより上昇し、傘が逆に閉じ、上限位置のスライダー５２により閉状態が保持される。また、上部筒体５３の上部の凹部内に上ロクロ部２１が収納されることにより平行に閉じた親骨２が固定される。
【００３４】
図４〜図６は、下ロクロ部材１２の変形例とその動作を示したものである。下ロクロ部材１２はその上部筒体５３を下方に伸ばし、下部軸部５４を覆うような形状にしてもよい。即ち、上部筒体５３の下部を薄肉とし、この薄肉部分５３ａに手元部材４１を嵌め込むようにすれば、傘を閉じた時、下ロクロ部材１２の下部が手元部材４１内に収納され、傘の長さを短くし、コンパクトなものとすることができる。
【００３５】
図４は傘が開いた状態を示したものであり、第２中棒１３を下方にスライドさせると、スライドバー１３ａによりスライダー５２が下降し、連動機構により第１中棒１１が上方にスライドし、傘が開く。
【００３６】
図５は傘を閉じる途中の状態、図６は傘が閉じ終わった状態を示したものであり、第２中棒１３を上方にスライドさせると、スプリングによりスライダー５２が上昇し、連動機構により第１中棒１１が下方にスライドし、傘が逆さに閉じる。図６に示すように、下ロクロ部材下部の薄肉部分５３ａに手元部材４１が嵌め込まれる。
【図面の簡単な説明】
【００３７】
【図１】本発明の雨傘の基本的な構造とその動作を示す正面図である。
【図２】図１の雨傘の詳細を示す鉛直断面図である。
【図３】図２の雨傘の下ロクロ部材の部品であり、(a)は軸部材の上面図、(b)は軸部材の鉛直断面図、(c)は軸部材の下面図、(d)はスライダーの上面図、(e)はスライダーの鉛直断面図、(f)は下部の水平断面図、(g)は中間位置の水平断面図である。
【図４】本発明の雨傘の変形例であり、傘を開いた状態の鉛直断面図である。
【図５】図４の雨傘の傘を閉じる途中の鉛直断面図である。
【図６】図４の雨傘の傘を閉じ終わった状態の鉛直断面図である。
【図７】一般的な雨傘を示す正面図である。
【符号の説明】
【００３８】
１……中棒
２……親骨
３……受骨
１１……第１中棒
１２……下ロクロ部材
１３……第２中棒
２１……上ロクロ部
２２……ヒンジ機構
２３……筒体
３１……ヒンジ機構
３２……ヒンジ機構
４１……手元部材
５１……軸部材
５２……スライダー
５３……上部筒体
５４……軸部
５５……スライド孔
５６……貫通孔
５７……貫通孔
６０……スライド孔
６１……スプリング
６２……リール
６３……ワイヤ
【図１】
0004800758.tif 000002
【図２】
0004800758.tif 000003
【図３】
0004800758.tif 000004
【図４】
0004800758.tif 000005
【図５】
0004800758.tif 000006
【図６】
0004800758.tif 000007
【図７】
0004800758.tif 000008